(57)【要約】【課題】  この種の動圧軸受装置の製造コストを低減する。【解決手段】  係止部材９を、樹脂材料を射出成形して形成し、この係止部材９をハウジング７の開口部７ａ内周に固定して動圧軸受装置１を構成した状態では、上端面９ｃの外周縁部に、樹脂ゲート部９ｄを除去加工することにより形成された環状のゲート除去部９ｃ１が現れるようにした。上記構成において、係止部材９の内周面９ａと軸部材２の軸部２ａの外周面２ａ１との間にシール空間Ｓが形成されるとともに、軸部材２の上方への相対変位時、フランジ部２ｂの下端面２ｂ２と係止部材９の下端面９ｂとが係合して、軸部材２が係止される。【選択図】図４
2006194382.tif 000002
【特許請求の範囲】
【請求項１】
一端が開口したハウジングと、前記ハウジングの内部に固定された軸受スリーブと、外径側に突出したフランジ部を有し、前記ハウジングおよび前記軸受スリーブに対して相対回転する軸部材と、前記ハウジングの開口側に設けられ、前記軸部材の外周面又は前記フランジ部との間にシール空間を形成するとともに、軸部材の軸方向一端側への相対変位時に前記フランジ部と係合して軸部材を係止可能で、かつ、樹脂材料で形成された係止部材と、前記軸受スリーブと前記軸部材との間のラジアル軸受隙間に生じる流体の動圧作用で前記軸部材をラジアル方向に非接触支持するラジアル軸受部と、前記軸受スリーブのハウジング開口側の端面と、これに対向する前記フランジ部の端面との間のスラスト軸受隙間に生じる流体の動圧作用で前記軸部材をスラスト方向に非接触支持するスラスト軸受部とを備えた動圧軸受装置。
【請求項２】
前記係止部材は、樹脂材料を射出成形して形成され、その何れか一方の端面の外周縁部に、樹脂ゲート部を除去加工することにより形成された環状のゲート除去部を有することを特徴とする請求項１記載の動圧軸受装置。
【請求項３】
前記係止部材の一方の端面は、前記動圧軸受装置の外部に臨む外側端面であることを特徴とする請求項１記載の軸受装置。
【請求項４】
前記ラジアル軸受部が多円弧軸受で構成されていることを特徴とする請求項１記載の動圧軸受装置。
【請求項５】
請求項１〜４の何れかに記載された動圧軸受装置を有するディスク装置のスピンドルモータ。
【発明の詳細な説明】
【技術分野】
【０００１】
本発明は、軸受隙間に生じる流体（潤滑流体）の動圧作用によって回転部材を非接触支持する動圧軸受装置に関する。この軸受装置は、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置などのスピンドルモータ、レーザビームプリンタ（ＬＢＰ）のポリゴンスキャナモータ、あるいは電気機器、例えば軸流ファンなどの小型モータ用として好適である。
【背景技術】
【０００２】
上記各種モータには、高回転精度の他、高速化、低コスト化、低騒音化等が求められている。これらの要求性能を決定づける構成要素の１つに当該モータのスピンドルを支持する軸受があり、近年では、上記要求性能に優れた特性を有する動圧軸受の使用が検討され、あるいは実際に使用されている。
【０００３】
例えば、ＨＤＤ等のディスク装置のスピンドルモータに組込まれる動圧軸受装置では、ハウジングの内周に軸受スリーブを固定すると共に、軸受スリーブの内周に軸部材を配置した構造が知られている（例えば、特許文献１を参照）。この軸受装置では、軸部材の回転により、軸受スリーブの内周と軸部材の外周との間のラジアル軸受隙間に流体の動圧作用で圧力を発生させ、この圧力で軸部材をラジアル方向に非接触状態で支持する。
【特許文献１】特開２００２−６１６３６号公報
【発明の開示】
【発明が解決しようとする課題】
【０００４】
この種の動圧軸受装置は、ハウジング、軸受スリーブ、軸部材をはじめとする種々の部品で構成され、情報機器の益々の高性能化に伴って必要とされる高い軸受性能を確保すべく、各部品の加工精度や組立精度を高める努力がなされている。その一方で、情報機器の低価格化・小型化の傾向に伴い、この種の動圧軸受装置に対するコスト低減の要求も益々厳しくなっている。
【０００５】
本発明の課題は、この種の動圧軸受装置の製造コストを低減することである。
【課題を解決するための手段】
【０００６】
前記課題を解決するため、本発明に係る動圧軸受装置は、一端が開口したハウジングと、前記ハウジングの内部に固定された軸受スリーブと、外径側に突出したフランジ部を有し、前記ハウジングおよび前記軸受スリーブに対して相対回転する軸部材と、前記ハウジングの開口側に設けられ、前記軸部材の外周面又は前記フランジ部との間にシール空間を形成するとともに、軸部材の軸方向一端側への相対変位時に前記フランジ部と係合して軸部材を係止可能で、かつ、樹脂材料で形成された係止部材と、前記軸受スリーブと前記軸部材との間のラジアル軸受隙間に生じる流体の動圧作用で前記軸部材をラジアル方向に非接触支持するラジアル軸受部と、前記軸受スリーブのハウジング開口側の端面と、これに対向する前記フランジ部の端面との間のスラスト軸受隙間に生じる流体の動圧作用で前記軸部材をスラスト方向に非接触支持するスラスト軸受部とを備えたものである。このように、樹脂材料で形成された係止部材は、同様の部材を金属材料で形成する場合と比べて、旋削等の機械加工を必要としないので、低コストで製造することができる。
【０００７】
樹脂成形品の成形方法としては射出成形が一般的であるが、その成形精度は、射出成形の態様、例えば溶融樹脂を成形型内に充填するためのゲートの形状や位置に大きく影響を受ける。上述のように、係止部材を樹脂で射出成形する場合、上記ゲートの形状や位置の設定によっては、係止部材の成形精度が低下する、係止部材が所期の性能を発揮できない等、種々の不都合を生じる可能性がある。
【０００８】
かかる観点から、前記係止部材は、樹脂材料を射出成形して形成され、その何れか一方の端面の外周縁部に、樹脂ゲート部を除去加工することにより形成された環状のゲート除去部を有することが好ましい。
【０００９】
この環状のゲート除去部は、係止部材の一方の端面と円周方向全周に亘ってつながった状態で係止部材と同時に成形された樹脂ゲート部を除去加工することにより形成されるものであり、この樹脂ゲート部は、係止部材を成形する成形型内に、一方の端面側から円周方向全周に亘って溶融樹脂を充填することで形成される。したがって、樹脂成形品である係止部材は、ウェルド等の構造上の欠陥を有しておらず、また、真円度等の成形精度も良好である。
【００１０】
また、係止部材は、いずれか一方の端面の外周縁部に、ゲート除去部を有している。言い換えると、樹脂ゲート部を除去加工することにより形成されるゲート除去部は、係止部材の一方の端面の外周縁部に現れる。したがって、このゲート除去部からコンタミ（樹脂に配合された充填材等）が発生したとしても、そのコンタミは、係止部材の内周面の側に形成されるシール空間には脱落しにくくなる。
【００１１】
上記のゲート除去部は、動圧軸受装置の外部に臨む外側端面に形成されていることが好ましい。これにより、軸受内部の清浄度をより高いレベルに保つことができる。
【００１２】
係止部材を形成する樹脂材料は特に限定されず、熱硬化性樹脂又は熱可塑性樹脂の中から適宜に選択して用いることができる。熱可塑性樹脂の場合、例えば、ポリサルフォン（ＰＳＦ）、ポリエーテルサルフォン（ＰＥＳ）、ポリフェニルサルフォン（ＰＰＳＵ）、ポリエーテルイミド（ＰＥＩ）等の非結晶性樹脂、あるいは、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等の結晶性樹脂を使用することができる。
【００１３】
また、前記の樹脂に充填する充填材の種類は特に限定されるものではなく、例えば、ガラス繊維等の繊維状充填材、チタン酸カリウム等のウィスカ状充填材、マイカ等の鱗片状充填材、カーボン繊維、カーボンブラック、黒鉛、カーボンナノマテリアル、各種金属粉等の繊維状または粉末状の導電性充填材を用いることができる。
【００１４】
例えば、ＨＤＤ等のディスク駆動装置のスピンドルモータに組み込まれる動圧軸受装置では、磁気ディスク等のディスクと空気との摩擦によって発生した静電気を接地側に逃がすために、ハウジングだけでなく係止部材にも導電性が要求される場合がある。このような場合、係止部材を形成する樹脂に上記の導電性充填材を配合することにより、係止部材に導電性を与えることができる。
【００１５】
上記の導電性充填材としては、導電性の高さ、樹脂マトリックス中での分散性の良さ、低アウトガス性等の点から、カーボンナノマテリアルが好ましい。カーボンナノマテリアルとしては、カーボンナノファイバーが好ましい。このカーボンナノファイバーには、直径が４０〜５０ｎｍ以下の「カーボンナノチューブ」と呼ばれるものも含まれる。
【００１６】
上記構成において、ラジアル軸受部は、ラジアル軸受隙間に複数のくさび状隙間を有する多円弧軸受で構成することができる。
【００１７】
以上に述べた動圧軸受装置は、例えばディスク装置のスピンドルモータに組込んで好適に使用することができる。
【発明の効果】
【００１８】
本発明によれば、この種の動圧軸受装置における係止部材の製造コストを低減するとともに、射出成形による樹脂製の係止部材の強度や成形精度を高めることができる。
【００１９】
また、本発明によれば、軸受内部へのコンタミの混入を可及的に防止して、軸受内部の清浄度を保つことができる。
【発明を実施するための最良の形態】
【００２０】
以下、本発明の一実施形態を図１〜図４に基づいて説明する。
【００２１】
図１は、本発明の一実施形態に係る動圧軸受装置１を組込んだ情報機器用スピンドルモータの一構成例を概念的に示している。このスピンドルモータは、ＨＤＤ等のディスク駆動装置に用いられるもので、軸部材２を回転自在に非接触支持する動圧軸受装置１と、軸部材２に装着されたディスクハブ３と、例えば半径方向のギャップを介して対向させたステータコイル４およびロータマグネット５とを備えている。ステータコイル４はケーシング６の外周に取付けられ、ロータマグネット５は、ディスクハブ３の内周に取付けられている。ディスクハブ３は、その外周に磁気ディスク等のディスク状情報記録媒体（以下、単にディスクという。）Ｄを一枚または複数枚保持している。このように構成されたスピンドルモータにおいて、ステータコイル４に通電すると、ステータコイル４とロータマグネット５との間に発生する電磁力でロータマグネット５が回転し、これに伴って、ディスクハブ３およびディスクハブ３に保持されたディスクＤが軸部材２と一体に回転する。
【００２２】
図２は、動圧軸受装置１を示している。この動圧軸受装置１は、軸部材２と、ハウジング７と、ハウジング７に固定された軸受スリーブ８、および係止部材９とを主な構成要素として構成されている。なお、説明の便宜上、ハウジング７の開口部７ａの側を上側、開口部７ａと反対の側を下側として以下説明する。
【００２３】
軸部材２は、例えばステンレス鋼等の金属材料で形成され、軸部２ａと、円盤状のフランジ部２ｂとを備えている。フランジ部２ｂは軸部２ａの下端よりも上方に設けられ、軸部２ａと一体または別体をなす。なお、軸部２ａの芯部あるいはフランジ部２ｂ、もしくはその双方は、樹脂材料で形成することもできる。
【００２４】
ハウジング７は、一端に開口部７ａを有すると共に、他端を閉じた有底円筒状に形成され、円筒状の側部７ｂと、側部７ｂの他端側に一体に連続した底部７ｃとを備えている。このハウジング７は、例えば液晶ポリマー（ＬＣＰ）や、ポリエーテルエーテルケトン（ＰＥＥＫ）、ポリフェニレンサルファイド（ＰＰＳ）等をベース樹脂とする樹脂組成物を射出成形することで形成される。このハウジング７は、軸受スリーブ８をインサート部品として型成形（インサート成形）することもできる。あるいは、側部７ｂと底部７ｃとを別体に形成し、両者を接着、溶着（超音波溶着等）の手段で相互に結合することもできる。なお、ハウジング７は、必ずしも樹脂で成形する必要はなく、例えば金属材料をプレス加工する等して成形することもできる。
【００２５】
また、上記樹脂組成物には、例えば、ガラス繊維等の繊維状充填材、チタン酸カリウム等のウィスカ状充填材、マイカ等の鱗片状充填材、カーボン繊維、カーボンブラック、黒鉛、カーボンナノマテリアル、各種金属粉等の繊維状または粉末状の導電性充填材を、目的に応じて適量配合することができる。
【００２６】
軸受スリーブ８は、例えば、銅やアルミ（合金を含む）等の軟質金属材料、あるいは焼結金属材料で形成されている。この実施形態において、軸受スリーブ８は、焼結金属からなる多孔質体、例えば銅を主成分とする焼結金属の多孔質体で円筒状に形成される。
【００２７】
軸受スリーブ８の内周面８ａの上下に離隔した領域には、図３に示すように、第一ラジアル軸受部Ｒ１および第二ラジアル軸受部Ｒ２のラジアル軸受面となる複数の円弧面８ａ１がそれぞれ形成される。各円弧面８ａ１は、回転軸心Ｏからそれぞれ等距離オフセットした点を中心とする偏心円弧面であり、円周方向で等間隔に形成される。各偏心円弧面８ａ１の間には軸方向の分離溝８ａ２が形成される。
【００２８】
軸受スリーブ８の内周面８ａに軸部材２の軸部２ａを挿入することにより、軸受スリーブ８の偏心円弧面８ａ１および分離溝８ａ２と、軸部２ａの真円状外周面２ａ１との間に、第一および第二ラジアル軸受部Ｒ１、Ｒ２の各ラジアル軸受隙間がそれぞれ形成される。ラジアル軸受隙間のうち、偏心円弧面８ａ１と対向する領域は、隙間幅を円周方向の一方で漸次縮小させたくさび状隙間８ａ３となる。くさび状隙間８ａ３の縮小方向は軸部材２の回転方向に一致している。
【００２９】
軸受スリーブ８の上端面８ｂの全面または一部の環状領域には、スラスト動圧発生部として、例えば図示は省略するが、スパイラル形状の動圧溝が形成される。この上端面８ｂの動圧溝形成領域は、フランジ部２ｂの下端面２ｂ２と対向し、軸部材２の回転時には、両面８ｂ、２ｂ２の間にスラスト軸受部Ｔのスラスト軸受隙間が形成される（図２を参照）。
【００３０】
係止部材９は、例えば、結晶性樹脂としての液晶ポリマー（ＬＣＰ）に、導電性充填材としてのカーボンナノチューブ又は導電性カーボンを２〜３０ｖｏｌ％配合した樹脂組成物を射出成形して環状に形成される。係止部材９の円筒状の内周面９ａは、ハウジング７の開口部７ａ内周に固定された状態（図２を参照）では、対向する軸部２ａの外周面２ａ１との間に所定のシール空間Ｓを形成する。
【００３１】
係止部材９の下端面９ｂは、フランジ部２ｂの上端面２ｂ１と軸方向の隙間を介して対向している。軸部材２が上方へ相対変位すると、フランジ部２ｂの上端面２ｂ１が係止部材９の下端面９ｂと軸方向で係合し、軸部材２が係止される。このように、係止部材９は、シール機能と抜け止めの機能を併せ持つ。
【００３２】
ハウジング７の内周に、軸受スリーブ８を挿入し、軸受スリーブ８の下端面８ｃをハウジング７の底部７ｃに当接させる。こうして、ハウジング７に対する軸受スリーブ８の軸方向位置を定めた上で、接着、溶着などの固定手段により軸受スリーブ８をハウジング７に固定する。次に、係止部材９をハウジング７の開口部７ａ内周に配し、係止部材９の下端面９ｂと軸受スリーブ８の上端面８ｂとの間にフランジ部２ｂを収容した状態で、超音波溶着などの溶着、あるいは接着等の固定手段により係止部材９をハウジング７に固定する。これにより、図２に示す動圧軸受装置１が完成する。この際、係止部材９で密封されたハウジング７の内部空間は、軸受スリーブ８の内部気孔を含め、潤滑油で充満されると共に、潤滑油の油面はシール空間Ｓの範囲内に維持される。
【００３３】
上記構成の動圧軸受装置１において、軸部材２の回転時、軸受スリーブ８の内周面８ａのラジアル軸受面となる領域（上下２箇所の領域）は、軸部２ａの外周面２ａ１とラジアル軸受隙間を介して対向し、それぞれ多円弧軸受（テーパ軸受とも称される）を構成する。軸部材２の回転に伴い、ラジアル軸受隙間内の潤滑油がくさび状隙間８ａ３の縮小側に押し込まれて、その圧力が上昇する。このような潤滑油の動圧作用によって、軸部２ａを非接触支持する第一ラジアル軸受部Ｒ１と第二ラジアル軸受部Ｒ２がそれぞれ構成される。
【００３４】
同時に、フランジ部２ｂの下端面２ｂ２とこれに対向する軸受スリーブ８の上端面８ｂとの間のスラスト軸受隙間にも、動圧溝の動圧作用により潤滑油の油膜が形成され、この油膜の圧力によって、フランジ部２ｂをスラスト方向に回転自在に非接触支持するスラスト軸受部Ｔが構成される。
【００３５】
図４は、前述のように構成される動圧軸受装置１における係止部材９の成形工程を概念的に示している。固定型と可動型とで構成される成形金型には、ランナー１０ａ、フィルムゲート１０ｂ、およびキャビティー１０ｃが設けられる。フィルムゲート１０ｂは、成形金型の、係止部材９の上端面９ｃの外周縁部に対応する位置に環状に形成され、そのゲート幅δは例えば０．２ｍｍ〜０．８ｍｍの範囲に設定される。
【００３６】
図示されていない射出成形機のノズルから射出された溶融樹脂Ｐは、成形金型のランナー１０ａ、フィルムゲート１０ｂを通ってキャビティー１０ｃ内に充填される。このように、係止部材９の上端面９ｃの外周縁部に対応する位置に設けた環状のフィルムゲート１０ｂからキャビティー１０ｃ内に溶融樹脂Ｐを充填することにより、溶融樹脂Ｐがキャビティー１０ｃの円周方向および軸方向に均一に充填される。従って、成形寸法精度が高く、かつウェルドのない均質な係止部材９を低コストで製造することができる。
【００３７】
キャビティー１０ｃ内に充填された溶融樹脂Ｐが冷却されて固化した後、可動型を移動させて成形金型を型開きする。フィルムゲート１０ｂを係止部材９の上端面９ｃの外周縁部に対応する位置に設けているため、型開き前の成形品は、係止部材９の上端面９ｃの外周縁部にフィルム状の樹脂ゲート部９ｄが環状につながった形態になる。この樹脂ゲート部９ｄは成形金型の型開動作によって自動的に切断され、成形品を成形金型から取り出した状態では、図４（ｂ）に示すように、係止部材９の上端面９ｃの外周縁部に樹脂ゲート部９ｄの切り残し部分が残る。その後、樹脂ゲート部９ｄの切り残し部分を同図に示すＸ線に沿って除去加工（機械加工）して仕上げることで、係止部材９が完成する。
【００３８】
完成後の係止部材９において、樹脂ゲート部９ｄを除去加工することにより形成されたゲート除去部９ｃ１は、係止部材９の上端面９ｃの外周縁部に幅の狭い環状形状で現れる。したがって、このゲート除去部９ｃ１からコンタミ（樹脂に配合された充填材等）が発生したとしても、そのコンタミは、係止部材９の内周面９ａの側に形成されるシール空間Ｓには脱落しにくくなる。そのため、動圧軸受装置１内部の清浄度が保たれる。
【００３９】
なお、潤滑油の漏れを防止するために、シール空間Ｓを形成する軸部材２の軸部２ａの外周面２ａ１よりも上方の面や、係止部材９の上端面９ｃに溌油剤を塗布することもできる。この実施形態では、係止部材９の上端面９ｃを、ゲート除去部９ｃ１が存在する外周縁部を除いて成形面（射出成形面）としているので、このような表面状態の上端面９ｃに溌油剤を塗布することにより、充分な溌油効果が発揮され、ハウジング７内部からの潤滑油の漏れが効果的に防止される。
【００４０】
以上、本発明の一実施形態を説明したが、本発明は、この実施形態に限定されるものではない。
【００４１】
以上の実施形態では、シール空間Ｓを、係止部材９の円筒状の内周面９ａと、これに対向する軸部２ａの外周面２ａ１との間に形成した場合を例示したが、本発明は、これ以外の形態に適用することも可能である。例えば図５は、ハウジング７外部側（図５では上側）に向けて径方向隙間幅を漸次拡大させたテーパ状のシール空間Ｓ’を形成した場合を例示したものである。この場合にも、係止部材９をフィルムゲートを用いて射出成形することで、成形寸法精度が高く、かつウェルドのない均質な係止部材９を低コストで製造することができる。また、上端面９ｃの外周縁部に、樹脂ゲート部９ｄの除去加工による環状のゲート除去部９ｃ１が現れるようにすることで、コンタミをシール空間Ｓ’側へ脱落しにくくすることができる。
【００４２】
また、この図示例のように、テーパ状のシール空間Ｓ’を形成すれば、遠心力によるシール効果、および毛細間力によるシール効果をシール空間Ｓ’に付与することができる。なお、この図示例では、係止部材９の内周面９ａを、その軸方向全長に亘って上方に拡径した形状としているが、内周面９ａの上端側の一部をテーパ状面とし、残りの面を径一定の円筒面とすることもできる。あるいは、内周面９ａ全体を径一定の円筒面とし、これに対向する軸部２ａの外周面２ａ１の側にテーパ状面を形成することもできる。
【００４３】
さらに、シール機能と軸部材２の抜止め機能を両立しつつも、ハウジング７の軸方向寸法を縮小して、動圧軸受装置１の小サイズ化を図ったものとして、例えば図６に示すような構成を挙げることができる。同図におけるシール空間Ｓ’は、フランジ部２ｂに設けられた軸方向の段差によって区画形成された外周面のうち、上側の外周面２ｂ３と、これに対向する係止部材９の内周面９ａとの間に形成される。また、段によって区画形成された上端面２ｂ１のうち外径側の端面２ｂ４は、係止部材９の下端面９ｂと対向する。このような構成とすることで、潤滑油の外部への漏れ出しが防止されるとともに、軸部材２の上方への変位時、フランジ部２ｂの外径側端面２ｂ４が係止部材９の下端面９ｂと軸方向で係合し、軸部材２の抜止めがなされる。
【００４４】
また、この実施形態では、係止部材９は、その下端面９ｂの、外径側端面２ｂ４と対向しない箇所を下方に向けて突出させた形態をなす。そのため、係止部材９の下方突出部９ｅを軸受スリーブ８の上端面８ｂに当接させることで、係止部材９の軸受スリーブ８に対する軸方向の位置決めが容易になされる。
【００４５】
図７は、第一および第二ラジアル軸受部Ｒ１、Ｒ２を構成する多円弧軸受の他の実施形態を示すものである。この実施形態では、図３に示す構成において、各偏心円弧面８ａ１の最小隙間側の所定領域θが、それぞれ回転軸心Ｏを中心とする同心の円弧で構成されている。従って、各所定領域θにおいて、ラジアル軸受隙間（最小隙間）は一定となる。このような構成の多円弧軸受は、テーパ・フラット軸受と称されることもある。
【００４６】
図８では、軸受スリーブ８の内周面８ａのラジアル軸受面となる領域が３つの円弧面８ａ１で形成されると共に、３つの円弧面８ａ１の中心は、回転軸心Ｏから等距離オフセットされている。３つの偏心円弧面８ａ１で区画される各領域において、ラジアル軸受隙間は、円周方向の両方向に対してそれぞれ漸次縮小した形状を有している。
【００４７】
以上に説明した第一および第二ラジアル軸受部Ｒ１、Ｒ２の多円弧軸受は、何れもいわゆる３円弧軸受であるが、これに限らず、いわゆる４円弧軸受、５円弧軸受、さらには６円弧以上の数の円弧面で構成された多円弧軸受を採用してもよい。また、ラジアル軸受部Ｒ１、Ｒ２のように、２つのラジアル軸受部を軸方向に離隔して設けた構成とするほか、軸受スリーブ８の内周面の上下領域に亘って１つのラジアル軸受部を設けた構成としてもよい。
【００４８】
また、以上の実施形態では、ラジアル軸受部Ｒ１、Ｒ２として、多円弧軸受を採用した場合を例示しているが、これ以外の軸受で構成することも可能である。ラジアル軸受部Ｒ１、Ｒ２を構成可能な軸受としては、例えば図示は省略するが、軸受スリーブ８の内周面８ａのラジアル軸受隙間に面する領域（ラジアル軸受面となる領域）に、複数の軸方向溝形状の動圧溝を形成したステップ軸受が挙げられる。あるいは、軸方向溝に代えて、へリングボーン形状やスパイラル形状の傾斜溝を形成し、これら傾斜状の動圧溝により潤滑流体の動圧作用を発生させる構成を採ることもできる。
【００４９】
また、以上の実施形態では、動圧軸受装置１の内部に充満し、ラジアル軸受隙間や、スラスト軸受隙間に動圧作用を生じる流体として、潤滑油を例示したが、それ以外にも各軸受隙間に動圧作用を生じ得る流体、例えば空気等の気体や、磁性流体等の流動性を有する潤滑剤、あるいは潤滑グリース等を使用することもできる。
【図面の簡単な説明】
【００５０】
【図１】本発明の一実施形態に係る動圧軸受装置を組み込んだ情報機器用スピンドルモータの断面図である。
【図２】動圧軸受装置の縦断面図である。
【図３】ラジアル軸受部の断面図である。
【図４】係止部材の成形工程を概念的に示す断面図である。
【図５】シール空間の他の構成例を示す拡大断面図である。
【図６】シール空間の他の構成例を示す拡大断面図である。
【図７】ラジアル軸受部の他の構成例を示す断面図である。
【図８】ラジアル軸受部の他の構成例を示す断面図である。
【符号の説明】
【００５１】
１      動圧軸受装置
２      軸部材
２ａ    軸部
２ｂ    フランジ部
３      ディスクハブ
４      ステータコイル
５      ロータマグネット
７      ハウジング
８      軸受スリーブ
９      係止部材
９ａ    内周面
９ｂ    下側端面
９ｃ    上側端面
９ｃ１  ゲート除去部
９ｄ    樹脂ゲート部
１０ａ  ランナー
１０ｂ  フィルムゲート
１０ｃ  キャビティー
Ｐ      溶融樹脂
δ      ゲート幅
Ｓ、Ｓ’  シール空間
Ｒ１、Ｒ２  ラジアル軸受部
Ｔ      スラスト軸受部
【図１】
2006194382.tif 000003
【図２】
2006194382.tif 000004
【図３】
2006194382.tif 000005
【図４】
2006194382.tif 000006
【図５】
2006194382.tif 000007
【図６】
2006194382.tif 000008
【図７】
2006194382.tif 000009
【図８】
2006194382.tif 000010